(57)【要約】【課題】電源の異常時に短時間で動作可能な電源保護回路を低コストで提供することを目的とする。【解決手段】負荷に電源電圧を供給する主電源回路部と、この主電源回路部と電源入力との間に接続したリレー７と、このリレー７をオンオフしかつ機器の動作制御を行なうマイクロコンピュータと、このマイクロコンピュータに電源電圧を供給するマイクロコンピュータ用電源回路部９とを有し、前記主電源回路部の出力と前記マイクロコンピュータ用電源回路部９の出力とを、カソード側が主電源回路部に接続されるダイオード１０を介して接続したものである。【選択図】　図１
2004104914.tif 000002
【特許請求の範囲】
【請求項１】
負荷に電源電圧を供給する主電源回路部と、この主電源回路部と電源入力との間に接続した電子的スイッチ手段と、この電子的スイッチ手段をオンオフしかつ機器の動作制御を行なうマイクロコンピュータと、このマイクロコンピュータに電源電圧を供給するマイクロコンピュータ用電源回路部とを有し、前記主電源回路部の出力と前記マイクロコンピュータ用電源回路部の出力とを、カソード側が主電源回路部に接続されるダイオードを介して接続した電源保護回路。
【発明の詳細な説明】
【０００１】
【発明の属する技術分野】
本発明は、主にプラズマディスプレイに使用される多出力のスイッチング電源装置の電源保護回路に関するものである。
【０００２】
【従来の技術】
プラズマディスプレイでは、表示駆動を行なうための駆動回路に大電流を供給する電源回路部と、プラズマディスプレイの動作制御を行なうマイクロコンピュータ（以下、マイコンという）に電源電圧を供給するための小電力しか供給しない電源回路部とを有する多出力のスイッチング電源装置が用いられるが、このような多出力のスイッチング電源装置では、回路の異常時に素早く保護回路を働かせなければ、大規模に回路が壊れてしまう場合が多く、電源装置の異常時に電源入力を遮断するための電源保護回路が用いられる。
【０００３】
この電源保護回路として具体的な先行技術文献情報はないが、現在製品に使用されている電源保護回路は、電源装置に電源出力を検出する回路を設けるとともに、電源装置の電源入力部に異常時に電源入力を遮断するリレーを接続し、そのリレーを機器の動作制御に使用されるマイコンによりオンオフ制御するように構成し、そして電源装置の出力が何らかの異常で負荷がショートし、電圧が下がったときに、検出回路で検出した電圧が入力されているマイコンが異常状態と判断し、マイコンが前記リレーを動作させて電源入力を遮断するように構成している。
【０００４】
【発明が解決しようとする課題】
しかしながら、上記のような構成ではマイコンがリレーをオフ状態にするまでの時間がかかりすぎ、大規模に回路が破壊してしまう恐れがある。また、電源電圧を検出してマイコンに供給する検出回路が必要で、コストが高くなってしまうという課題があった。
【０００５】
本発明はこのような課題に鑑みなされたもので、電源の異常時に短時間で動作可能な電源保護回路を低コストで提供することを目的とする。
【０００６】
【課題を解決するための手段】
このような課題を解決するために本発明の電源保護回路は、負荷に電源電圧を供給する主電源回路部と、この主電源回路部と電源入力との間に接続した電子的スイッチ手段と、この電子的スイッチ手段をオンオフしかつ機器の動さ制御を行なうマイクロコンピュータと、このマイクロコンピュータに電源電圧を供給するマイクロコンピュータ用電源回路部とを有し、前記主電源回路部の出力と前記マイクロコンピュータ用電源回路部の出力とを、カソード側が主電源回路部に接続されるダイオードを介して接続したものである。
【０００７】
この構成により、主電源回路部の出力が何らかの異常により、過電流が流れ出力電圧がＧＮＤになると、マイコン用電源回路部の出力も低下させてマイコンを停止させるため、マイコンが制御している電子的スイッチ手段も瞬時にオフにでき、回路の破損を防ぐことができる。
【０００８】
【発明の実施の形態】
以下、本発明の一実施の形態による電源保護回路について、図１を参照しながら説明する。
【０００９】
図１は本発明の一実施の形態による電源保護回路を用いたプラズマディスプレイ用のスイッチング電源装置のブロック図である。図１において、１は電源入力としての商用電源に接続される電源コンセント、２はラインフィルタ部、３は商用電源の力率改善と整流・平滑を行なう整流・平滑回路、４はスイッチング電源制御回路、５はスイッチングトランス、６は２次側の整流・平滑回路で、これらの回路により負荷に電源電圧を供給する主電源回路部が構成されている。
【００１０】
７は主電源回路部の電源入力側のラインフィルタ部２と整流・平滑回路３との間に接続した電子的スイッチ手段としてのリレーで、このリレー７のコイルには、プラズマディスプレイの動作を制御するマイコンによりオンオフ制御されるトランジスタ８を介して電圧が入力されている。９は前記ラインフィルタ部２の出力を入力とするマイコン用電源回路部で、前記マイコンに電源電圧を供給するためのものである。
【００１１】
１０は前記主電源回路部の出力と前記マイコン用電源回路部９の出力との間に接続したダイオードで、このダイオード１０のカソード側は前記主電源回路部に接続され、アノード側は、マイコン用電源回路部９の出力と、リレー７のコイルとトランジスタ８の直列回路の一端に接続されている。
【００１２】
この回路において、商用電源からの電源入力が、ラインフィルタ部２、整流・平滑回路３を介してスイッチングトランス５及びスイッチング電源制御回路４に入力されることにより、電源回路が動作し始める。また、スイッチングトランス５の２次側ではスイッチングトランス５の２次側出力が出ると、２次側の整流・平滑回路６を介して電圧が負荷へ供給される。
【００１３】
ところで、ダイオード１０は、アノードをマイコン用電源回路部９の出力に接続し、カソードを２次側の整流・平滑回路６に接続しており、２次側整流・平滑回路６の出力は、マイコン用電源回路部９の出力より電圧が高いので、通常時、ダイオード１０には電流は流れない。ところが、２次側の整流・平滑回路６がショートすると、２次側の整流・平滑回路６に過電流が流れて電圧が降下し、瞬時にＧＮＤになる。そうすると、マイコン用電源回路部９の出力にもダイオード１０を介して大電流が流れようとするが、マイコン用電源回路部９の出力が低下し、マイコンへの電圧供給が行なわれなくなるため、マイコンが停止し、リレー７が遮断される。
【００１４】
このように２次側の整流・平滑回路６が負荷のショートにより過電流が流れ、出力がマイコンの停止電圧より下がれば、マイコン用電源回路部９も出力が下がり、マイコンが停止することとなるため、リレー７を瞬時に遮断することができる。すなわち、電源回路の出力が何らかの異常で下がると、瞬時に保護回路を動作させることができ、しかも保護回路はダイオードのみで構成されているので、コストが大幅に削減され、また電源の出力が下がらなければ絶対に動作しないので誤動作がないという効果が得られる。
【００１５】
【発明の効果】
以上説明したように本発明によれば、異常発生後瞬時に誤動作なく保護回路を動作させ、他の部品を保護することができ、しかも回路の構成部品も少ない部品で低コストで実現することができる。
【図面の簡単な説明】
【図１】本発明の一実施の形態による電源保護回路を用いたプラズマディスプレイ用の電源装置を示すブロック図
【符号の説明】
２　ラインフィルタ部
３　整流・平滑回路
４　スイッチング電源制御回路
５　スイッチングトランス
６　整流・平滑回路
７　リレー
９　マイコン用電源回路部
１０　ダイオード
【図１】
2004104914.tif 000003